(57)【要約】      （修正有）【課題】微調整可能な音量範囲を設定でき、且つ、微調整可能な音量範囲内で所望の音量に微調整することができる音量調整装置を提供する。【解決手段】入力された音響の入力音量に対応する入力音量信号を調整する入力音量調整器１０と、出力する音量の上限音量を設定する上限設定部２０と、出力する音量の下限音量を設定する下限設定部３０と、上限設定部２０で設定した上限音量と下限設定部３０で設定した下限音量との範囲内で所望の音量に設定する出力音量調整器４０とを有し、上限設定部２０の上限設定値と下限設定部３０の下限設定値とを連動する連動設定部５０を更に有し、連動設定部５０は、上限音量と下限音量とを連動して設定し、該上限音量と該下限音量との差を予め設定された固定範囲に固定する、ことを特徴とする。【選択図】図１
0003210793.tif 000002
【実用新案登録請求の範囲】
【請求項１】
音響の音量を調整して出力する音量調整装置であって、
入力された前記音響の入力音量に対応する入力音量信号を調整する入力音量調整器と、
出力する前記音量の上限音量を設定する上限設定部と、
出力する前記音量の下限音量を設定する下限設定部と、
前記上限設定部で設定した前記上限音量と前記下限設定部で設定した前記下限音量との範囲内で所望の音量に設定する出力音量調整器と
を有し、
前記上限設定部の上限設定値と前記下限設定部の下限設定値とを連動する連動設定部を更に有し、
前記入力音量調整器の下流側に前記上限設定部が配置されて、該入力音量調整器と該上限設定部とは電気的に接続され、
前記上限設定部の下流側に前記下限設定部が配置されて、該上限設定部と該下限設定部とは電気的に接続され、
前記下限設定部の下流側に前記出力音量調整器が配置されて、該下限設定部と該出力音量調整器とは電気的に接続され、
前記連動設定部は、前記上限音量と前記下限音量とを連動して設定し、該上限音量と該下限音量との差を予め設定された固定範囲に固定する、
ことを特徴とする音量調整装置。
【請求項２】
前記上限設定部は、可変抵抗器を含み、
前記下限設定部は、可変抵抗器を含み、
前記連動設定部は、前記上限設定部と前記下限設定部とを同軸の回転式目盛調整器で連動する、
ことを特徴とする、請求項１に記載の音量調整装置。
【請求項３】
前記上限設定部は、電子式の可変減衰器を含み、
前記下限設定部は、電子式の可変減衰器を含み、
前記連動設定部は、前記上限設定部と前記下限設定部のいずれか一方の設定が変更されたときに他方も同量の変更を設定する、
ことを特徴とする、請求項１に記載の音量調整装置。
【考案の詳細な説明】
【技術分野】
【０００１】
本考案は、入力された音響の音量を調整して出力する音量調整装置に関する。また、本考案は、集音器や補聴器、ハズフリー通話器およびその他音響装置に使用される音量調整装置に関するものであってもよい。
【背景技術】
【０００２】
音響装置は、出力音量を聞きやすいレベルに調整するため最小音量から最大音量までを一つの調整器（可変抵抗器など）で調整する方法が知られている。特許文献１では、基準レベルが異なる複数の音響信号が入力される音量調整装置であって、操作量を電圧として出力する操作子と、前記音響信号を増幅する増幅器と、前記増幅器における増幅の利得を調整する増幅利得調整器と、前記増幅器から出力される音響信号のレベルを調整する出力レベル調整器とを備え、前記増幅利得調整器が前記増幅器の利得を調整するための可変抵抗器を有し、前記出力レベル調整器は、入力電圧と出力電圧との比が単調増加の折線特性を有する折れ線回路および該折れ線回路から出力された出力電圧に従って、前記増幅器から出力された音響信号の利得を調整する利得可変型アンプを有し、前記操作子によって、前記増幅器および前記出力レベル調整器の利得が連動制御されることを特徴とする音量調整装置に関する技術を開示している。
【先行技術文献】
【特許文献】
【０００３】
【特許文献１】特開２００８−３１２２６０号公報
【考案の概要】
【考案が解決しようとする課題】
【０００４】
音量調整装置において、広い音量調整範囲を一つの可変抵抗器で音量調整回路を構成する場合には、例えば使用者の難聴の程度に合わせて、使用者が聞きたい音量付近で細かく調節するには、可変抵抗器の回転角を微細に動かさねばならず、利便性、操作性が良くない場合もある。特許文献１には、集音器や補聴器等の高性能化を目的に、難聴の度合いに応じた最適な音量に正確に調整するために、難聴度合いに応じた音量の近辺での音量調整を微調整できる技術に関する記載がない。
【０００５】
本考案は、所望の音量を含む微調整可能な音量範囲を設定し、設定された微調整可能な音量範囲内で所望の音量に微調整することができる音量調整装置を提供することを目的とする。また、本考案は、集音器や補聴器などの使用者の難聴レベルに応じた音量をきめ細かく調整することができる音量調整装置を提供することを目的としてもよい。
【課題を解決するための手段】
【０００６】
上記課題を解決するために、本考案の一つの実施形態は、音響の音量を調整して出力する音量調整装置であって、入力された前記音響の入力音量に対応する入力音量信号を調整する入力音量調整器と、出力する前記音量の上限音量を設定する上限設定部と、出力する前記音量の下限音量を設定する下限設定部と、前記上限設定部で設定した前記上限音量と前記下限設定部で設定した前記下限音量との範囲内で所望の音量に設定する出力音量調整器とを有し、前記上限設定部の上限設定値と前記下限設定部の下限設定値とを連動する連動設定部を更に有し、前記入力音量調整器の下流側に前記上限設定部が配置されて、該入力音量調整器と該上限設定部とは電気的に接続され、前記上限設定部の下流側に前記下限設定部が配置されて、該上限設定部と該下限設定部とは電気的に接続され、前記下限設定部の下流側に前記出力音量調整器が配置されて、該下限設定部と該出力音量調整器とは電気的に接続され、前記連動設定部は、前記上限音量と前記下限音量とを連動して設定し、該上限音量と該下限音量との差を予め設定された固定範囲に固定する、ことを特徴とする音量調整装置を提供する。
【０００７】
本考案の他の実施形態は、上記の音量調整装置であって、前記上限設定部は、可変抵抗器を含み、前記下限設定部は、可変抵抗器を含み、前記連動設定部は、前記上限設定部と前記下限設定部とを同軸の回転式目盛調整器で連動する、ことを特徴とする音量調整装置であってもよい。
【０００８】
本考案の他の実施形態は、上記のいずれか１つの音量調整装置であって、前記上限設定部は、電子式の可変減衰器を含み、前記下限設定部は、電子式の可変減衰器を含み、前記連動設定部は、前記上限設定部と前記下限設定部のいずれか一方の設定が変更されたときに他方も同量の変更を設定する、ことを特徴とする音量調整装置であってもよい。
【考案の効果】
【０００９】
本考案に係る音量調整装置によれば、微調整可能な音量範囲を設定でき、且つ、微調整可能な音量範囲内で所望の音量に微調整することができる。また、本考案に係る音量調整装置によれば、集音器や補聴器などの使用者の難聴レベルに応じた音量をきめ細かく調整することができる音量調整装置を提供することができる。
【図面の簡単な説明】
【００１０】
【図１】本考案の実施形態に係る音量調整装置の一例を説明する説明図である。
【図２】本考案の実施形態に係る音量調整装置の音量調整範囲の一例を説明する説明図である。
【図３】本考案の実施例に係る音量調整装置の一例を説明する説明図である。
【図４】本考案の実施例に係る音量調整装置の音量調整範囲の一例を説明する説明図である。
【考案を実施するための形態】
【００１１】
実施形態および実施例に係る音量調整装置の例を用いて、本考案を説明する。なお、本考案は、以後に説明する音量調整装置以外でも、マイク、集音器、録音機、発音器、発声器などの音響機器（部品、装置、機器、器具など）であれば、いずれのものにも用いることができる。なお、音量調整装置の素材、色は、特に限定されない。音量調整装置の色は、透明、半透明、色付きのものであってもよい。音量調整装置の色は、例えば使用者（消費者）の趣味趣向に合わせた柄のもの（例えば透明、絵柄、広告宣伝表記など）であってもよい。
【００１２】
以後に、本考案を説明する。
【００１３】
図１および図２を用いて、本考案の実施形態に係る音量調整装置の構成を説明する。ここで、図１は、本考案の実施形態に係る音量調整装置１００の一例を説明する説明図である。図２は、本考案の実施形態に係る音量調整装置１００の音量調整範囲Ｒｂの一例を説明する説明図である。なお、図１等に示す音量調整装置の構成等は一例であり、本考案は図１等に示す音量調整装置等に限定されるものではない。
【００１４】
本実施形態に係る音量調整装置１００は、入力端子（図１の１００ＩＮ）から入力された音響の音量を調整して、出力端子（図１の１００ＯＵＴ）から出力する装置である。以下にて、各構成を具体的に説明する。
【００１５】
図１に示すように、本考案に係る音量調整装置１００は、入力端子１００ＩＮから入力された音響の入力音量に対応する入力音量信号を調整する入力音量調整器１０と、出力端子１００ＯＵＴから出力する音量の上限音量を設定する上限設定部２０と、出力端子１００ＯＵＴから出力する音量の下限音量を設定する下限設定部３０と、上限設定部２０で設定した上限音量と下限設定部３０で設定した下限音量との範囲内で所望の音量に設定する出力音量調整器４０とを有する。また、本考案に係る音量調整装置１００は、上限設定部２０の上限設定値と下限設定部３０の下限設定値とを連動する連動設定部５０を更に有する。なお、音量調整装置１００は、音質を向上する緩衝増幅器と周波数特性調整フィルタなどからなる信号処理回路６０と、出力する音を増幅する出力増幅器７０と、を更に備えてもよい。
【００１６】
図１に示すように、本考案に係る音量調整装置１００は、入力音量調整器１０の下流側に上限設定部２０が配置し、入力音量調整器１０と上限設定部２０とを電気的に接続している。音量調整装置１００は、上限設定部２０の下流側に下限設定部３０が配置し、上限設定部２０と下限設定部３０とを電気的に接続している。音量調整装置１００は、下限設定部３０の下流側に出力音量調整器４０を配置し、下限設定部３０と出力音量調整器４０とを電気的に接続している。出力音量調整器４０は、ポテンショメータ型抵抗器を用いてもよい。
【００１７】
連動設定部５０は、上限設定部２０で設定する上限音量と下限設定部３０で設定する下限音量とを連動して設定する。これにより、本考案に係る音量調整装置１００は、連動設定部５０を用いて、上限音量と下限音量との差を予め設定された固定範囲に固定することができる。ここで、固定範囲は、設計、実験、計算などで予め定められる範囲とすることができる。
【００１８】
上限設定部２０は、可変抵抗器を含む構成とすることができる。下限設定部３０は、可変抵抗器を含む構成とすることができる。連動設定部５０は、上限設定部２０と下限設定部３０とを同軸の回転式目盛調整器で連動することができる。なお、上限設定部２０が音量の上限音量を設定する方法および下限設定部３０が音量の下限音量を設定する方法は公知の技術を用いることができる。上限設定部２０の上限設定値は、たとえば（抵抗器２２の抵抗値）÷｛（抵抗器２１の抵抗値）＋（抵抗器２２の抵抗値）｝とすることができる。下限設定部３０の下限設定値は、たとえば（下限設定部３０の抵抗値）÷｛（出力音量調整器４０の抵抗値）＋（下限設定部３０の抵抗値）｝とすることができる。
【００１９】
上限設定部２０は、電子式の可変減衰器を含む構成とすることができる。下限設定部３０は、電子式の可変減衰器を含む構成とすることができる。連動設定部５０は、上限設定部２０と下限設定部３０のいずれか一方の設定が変更されたときに、他方も同量の変更を設定する。なお、上限設定部２０が音量の上限音量を設定する方法および下限設定部３０が音量の下限音量を設定する方法は公知の技術を用いることができる。
【００２０】
連動設定部５０は、上限設定部２０で設定する上限音量と下限設定部３０で設定する下限音量とを連動して設定する。これにより、本考案に係る音量調整装置１００は、連動設定部５０を用いて、上限音量と下限音量との差を予め設定された固定範囲に固定することができる。ここで、固定範囲は、設計、実験、計算などで予め定められる範囲とすることができる。
【００２１】
図２に示すように、本考案に係る音量調整装置１００は、上限設定部２０を用いて上限設定値ＤＵを設定し、下限設定部３０を用いて下限設定値ＤＤを設定する。これにより、本考案に係る音量調整装置１００は、固定範囲Ｒｂ（上限音量と下限音量との差）を設定することができる。また、本考案に係る音量調整装置１００は、固定範囲Ｒｂを微調整可能な音量範囲として設定でき、且つ、操作可能範囲Ｒａに対応して微調整可能な音量範囲（固定範囲Ｒｂ）内で所望の音量に容易に微調整することができる（図中のＬＡ）。更に、本考案に係る音量調整装置１００は、図２に示すように、比較例（図中のＬＢ、いわゆるＢカーブ）と比較して、操作可能範囲Ｒａの全範囲を利用して所望の音量に容易に微調整することができる（図中のＬＡ）。
【００２２】
以上のとおり、本考案に係る音量調整装置によれば、微調整可能な音量範囲を設定でき、且つ、微調整可能な音量範囲内で所望の音量に微調整することができる。また、本考案に係る音量調整装置によれば、集音器や補聴器などの使用者の難聴レベルに応じた音量をきめ細かく調整することができる。
【実施例】
【００２３】
図３および図４を用いて、本考案の実施例に係る音量調整装置の構成を説明する。ここで、図３は、本考案の実施例に係る音量調整装置１００Ｕの一例を説明する説明図である。図４は、本考案の実施例に係る音量調整装置１００Ｕの音量調整範囲の一例を説明する説明図である。なお、図３等に示す音量調整装置の構成等は一例であり、本考案は図３等に示す音量調整装置等に限定されるものではない。
【００２４】
本実施例に係る音量調整装置１００Ｕは、入力端子（図３の１００ＩＮ）から入力された音響の音量を調整して、出力端子（図３の１００ＯＵＴ）から出力する装置である。以下にて、各構成を具体的に説明する。
【００２５】
図３に示すように、音量調整装置１００Ｕは、入力端子１００ＩＮから入力された音響の入力音量に対応する入力音量信号を調整する入力音量調整器１０Ｕと、出力端子１００ＯＵＴから出力する音量の上限音量を設定する上限設定部２０Ｕと、出力端子１００ＯＵＴから出力する音量の下限音量を設定する下限設定部３０Ｕと、上限設定部２０Ｕで設定した上限音量と下限設定部３０Ｕで設定した下限音量との範囲内で所望の音量に設定する出力音量調整器４０Ｕとを有する。また、本考案に係る音量調整装置１００Ｕは、上限設定部２０Ｕの上限設定値と下限設定部３０Ｕの下限設定値とを連動する連動設定部５０Ｕを更に有する。なお、音量調整装置１００Ｕは、音質を向上する緩衝増幅器と周波数特性調整フィルタなどからなる信号処理回路６０Ｕと、出力する音を増幅する出力増幅器７０Ｕと、を更に備えてもよい。
【００２６】
図３に示すように、本考案に係る音量調整装置１００Ｕは、入力音量調整器１０Ｕの下流側に上限設定部２０Ｕが配置し、入力音量調整器１０Ｕと上限設定部２０Ｕとを電気的に接続している。音量調整装置１００Ｕは、上限設定部２０Ｕの下流側に下限設定部３０Ｕが配置し、上限設定部２０Ｕと下限設定部３０Ｕとを電気的に接続している。音量調整装置１００Ｕは、下限設定部３０Ｕの下流側に出力音量調整器４０Ｕを配置し、下限設定部３０Ｕと出力音量調整器４０Ｕとを電気的に接続している。
【００２７】
連動設定部５０Ｕは、上限設定部２０Ｕで設定する上限音量と下限設定部３０Ｕで設定する下限音量とを連動して設定する。これにより、本考案に係る音量調整装置１００Ｕは、連動設定部５０Ｕを用いて、上限音量と下限音量との差を予め設定された固定範囲に固定することができる。ここで、固定範囲は、設計、実験、計算などで予め定められる範囲とすることができる。
【００２８】
図３に示すように、上限設定部２０Ｕは、本実施例では、電子式の可変減衰器を含む構成とすることができる。下限設定部３０Ｕは、電子式の可変減衰器を含む構成とすることができる。連動設定部５０Ｕは、上限設定部２０Ｕと下限設定部３０Ｕのいずれか一方の設定が変更されたときに、他方も同量の変更を設定する。なお、上限設定部２０Ｕが音量の上限音量を設定する方法および下限設定部３０Ｕが音量の下限音量を設定する方法は公知の技術を用いることができる。上限設定部２０Ｕと下限設定部３０Ｕとは、複数個の直列抵抗器であって、これらを連動したスイッチで切り替えることにより、段階的（図４の例では３段階）に微調整可能範囲を切り替える構成であってもよい。なお、上限設定部２０Ｕと下限設定部３０Ｕとは、機械的な可変抵抗器やスイッチに限らず、既知の電子的な切り替え装置に置き変えてもよい。
【００２９】
連動設定部５０Ｕは、上限設定部２０Ｕで設定する上限音量と下限設定部３０Ｕで設定する下限音量とを連動して設定する。これにより、本考案に係る音量調整装置１００Ｕは、連動設定部５０Ｕを用いて、上限音量と下限音量との差を予め設定された固定範囲に固定することができる。ここで、固定範囲は、設計、実験、計算などで予め定められる範囲とすることができる。
【００３０】
図４に示すように、本実施例に係る音量調整装置１００Ｕは、上限設定部２０Ｕおよび下限設定部３０Ｕを用いて、音量を「大」「中」「小」に切り替えることができる。これにより、本実施例に係る音量調整装置１００Ｕは、切り替えた音量の「大」「中」又は「小」に対応する固定範囲で所望の音量に容易に微調整することができる。これにより、本実施例に係る音量調整装置１００Ｕは、比較例（図中の一点鎖線、いわゆるＡカーブ、Ｄカーブ）と比較して、操作可能範囲の全範囲を利用して所望の音量に容易に微調整することができる。
【００３１】
以上のとおり、本実施例に係る音量調整装置１００Ｕによれば、実施形態に係る音量調整装置１００と同様の効果を得ることができる。
【００３２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００３３】
１００，１００Ｕ：  音量調整装置
１０，１０Ｕ：  入力音量調整器
２０，２０Ｕ：  上限設定部
３０，３０Ｕ：  下限設定部
４０，４０Ｕ：  出力音量調整器
５０，５０Ｕ：  連動設定部
６０，６０Ｕ：  信号処理回路
７０，７０Ｕ：  出力増幅器
【図１】
0003210793.tif 000003
【図２】
0003210793.tif 000004
【図３】
0003210793.tif 000005
【図４】
0003210793.tif 000006